(57)【要約】      （修正有）【課題】構造が極めて簡単で製造コストの低減、コンパクト化を図れるとともに、使用時の面倒さ、労力を極力少なくできるヘアドライヤー用ハンガーを提供する。【解決手段】ヘアドライヤー用ハンガー１は、吸盤を介して鏡面３に固定される支持部７と、略水平に延びる載置部９と、載置部９を上下方向に回動自在に連結し所定の角度で固定する連結部１１を有している。ドライヤーの手持ち部を載置部９の２本の丸棒の先端側の間から水平に移動して矢印Ａ方向に挿入し、そのまま下ろしてドライヤーの筒状本体部を載置部９に載置する。【選択図】図１
0003154684.tif 000002
【実用新案登録請求の範囲】
【請求項１】
壁面に固定される支持部と、
前記支持部から略水平に延び、ヘアドライヤーの手持ち部を水平方向から挿入可能な隙間を有しているとともに、前記手持ち部を挿入後放すことによりヘアドライヤーの筒状本体部を載置可能な載置部と、
を有していることを特徴とするヘアドライヤー用ハンガー。
【請求項２】
請求項１記載のヘアドライヤー用ハンガーにおいて、
前記載置部は、水平方向に間隔をおいて設けられた複数の棒状部材を連結固定して構成され、これらの棒状部材の先端側の間を通して前記手持ち部を挿入することを特徴とするヘアドライヤー用ハンガー。
【請求項３】
請求項１又は２記載のヘアドライヤー用ハンガーにおいて、
前記載置部が前記支持部に連結部を介して上下方向に回動自在に連結され、ヘアドライヤーが載置された状態で前記載置部は任意の回動位置に保持されることを特徴とするヘアドライヤー用ハンガー。
【請求項４】
請求項３記載のヘアドライヤー用ハンガーにおいて、
前記連結部は、前記載置部の前記支持部側端部を締め付ける締付部材を有し、前記載置部の回動角度を調整可能であることを特徴とするヘアドライヤー用ハンガー。
【請求項５】
請求項１〜４のいずれかに記載のヘアドライヤー用ハンガーにおいて、
前記支持部が壁面に対して着脱自在な吸盤を介して固定されていることを特徴とするヘアドライヤー用ハンガー。
【考案の詳細な説明】
【技術分野】
【０００１】
本考案は、髪の毛の乾燥やセット・スタイリング等に用いられるヘアドライヤーを所望の位置に保持するためのヘアドライヤー用ハンガーに関するものである。
【背景技術】
【０００２】
一般家庭やホテル等における洗面台（洗面スペース）の壁には、ヘアドライヤーを安定に吊るしたり載置したりするためのハンガー構造が設けられている。
この種のハンガーないしホルダー構造は、ヘアドライヤーを安定して保持するためだけの目的をもって設けられており、髪を乾かしたりセットしたりする時にはユーザーがドライヤーを片手で持って必要な位置に任意に動かして使用するようになっている。
しかしながら、このような使用方法では、片手がドライヤーを持つことでふさがれるために、他方の片手だけでスタイリング等をしなければならず、面倒さ、煩わしさを否めなかった。
【０００３】
このような問題に対処すべく、ドライヤーを持たずに両手でスタイリング等を行うことができる種々のハンガー構造が提案されている。
例えば、特許文献１には、任意の場所での上下面に固定できる伸縮自在な支柱と、この支柱に締付具により任意の高さ位置に固定されるアームと、アームの先端部に固定されたドライヤー載置部とを有するドライヤーホルダーが提案されている。ドライヤー載置部は、ドライヤーコードを出し入れするための切り欠き部を有する矩形筒状に形成されている。
特許文献２には、壁面に固定されたベースにフレキシブルチューブの一端を着脱自在に装着し、フレキシブルチューブの自由端側にドライヤーの筒状本体部の外面を挟むクリップを取り付けた構造のハンガーが提案されている。
フレキシブルチューブを曲げることによりヘアドライヤーの位置・向きを任意に設定できるとともに、クリップによる挟み保持方式であるために大きさが異なるドライヤーにも対応できる利点を有している。
【先行技術文献】
【特許文献】
【０００４】
【特許文献１】特開２００６−３４６３８８号公報
【特許文献２】特開２００５−３２３６２１号公報
【考案の概要】
【考案が解決しようとする課題】
【０００５】
しかしながら、特許文献１に記載のホルダーでは、伸縮自在な支柱が必要であるためにコストアップや全体構成の嵩張りを避けられないとともに、ドライヤー載置部の位置を調整するときはその都度締付具の開閉操作が必要で面倒であった。
また、切り欠き部にドライヤーコードを通した後でドライヤーを下ろして筒状本体部をドライヤー載置部に置く必要があり、セッティングが面倒であった。
特許文献２に記載のハンガーでは、フレキシブルチューブ等によるコストアップを避けられないとともに、バネ弾性力で閉じるクリップをその都度操作しなければならない面倒さがあった。
【０００６】
本考案はこのような現状に鑑みてなされたもので、構造が極めて簡単で製造コストの低減、コンパクト化を図れるとともに、使用時の面倒さ、労力を極力少なくできるヘアドライヤー用ハンガーの提供を、その主な目的とする。
【課題を解決するための手段】
【０００７】
本考案は上記課題を解決するためになされたものであり、請求項１記載の考案は、壁面に固定される支持部と、前記支持部から略水平に延び、ヘアドライヤーの手持ち部を水平方向から挿入可能な隙間を有しているとともに、前記手持ち部を挿入後放すことによりヘアドライヤーの筒状本体部を載置可能な載置部と、を有していることを特徴とするヘアドライヤー用ハンガーである。
【０００８】
請求項２記載の考案は、請求項１記載のヘアドライヤー用ハンガーにおいて、前記載置部は、水平方向に間隔をおいて設けられた複数の棒状部材を連結固定して構成され、これらの棒状部材の先端側の間を通して前記手持ち部を挿入することを特徴とするヘアドライヤー用ハンガーである。
【０００９】
請求項３記載の考案は、請求項１又は２記載のヘアドライヤー用ハンガーにおいて、前記載置部が前記支持部に連結部を介して上下方向に回動自在に連結され、ヘアドライヤーが載置された状態で前記載置部は任意の回動位置に保持されることを特徴とするヘアドライヤー用ハンガーである。
【００１０】
請求項４記載の考案は、請求項３記載のヘアドライヤー用ハンガーにおいて、前記連結部は、前記載置部の前記支持部側端部を締め付ける締付部材を有し、前記載置部の回動角度を調整可能であることを特徴とするヘアドライヤー用ハンガーである。
【００１１】
請求項５記載の考案は、請求項１〜４のいずれかに記載のヘアドライヤー用ハンガーにおいて、前記支持部が壁面に対して着脱自在な吸盤を介して固定されていることを特徴とするヘアドライヤー用ハンガーである。
【考案の効果】
【００１２】
本考案のヘアドライヤー用ハンガーによれば、構造が極めて簡単で製造コストの低減、コンパクト化を図れるとともに、使用時の面倒さ、労力を極力少なくでき、使い勝手を向上させることができる。
特に、ドライヤーを水平に移動してそのまま載置できるので、従来方式に比べてドライヤーのセッティング労力を極めて少なくすることができる。
【図面の簡単な説明】
【００１３】
【図１】本考案の一実施の形態に係るヘアドライヤー用ハンガーの使用状態を示す斜視図である。
【図２】ヘアドライヤー用ハンガーの構成を示す一部分解の斜視図である。
【図３】ヘアドライヤー用ハンガーの使用状態の側面図である。
【図４】載置部の上下方向における回動角調整機能を示す側面図である。
【考案を実施するための形態】
【００１４】
本考案の一実施の形態に係るヘアドライヤー用ハンガーを図面にしたがって説明する。
図１に示すように、本実施の形態に係るヘアドライヤー用ハンガー１は洗面スペースの鏡面３に固定されており、ヘアドライヤー用ハンガー１にはヘアドライヤー５が保持されている。
ヘアドライヤー用ハンガー１は、鏡面３に固定された支持部７と、この支持部７から略水平に延びる載置部９と、載置部９を支持部７に上下方向に回動自在に連結する連結部１１とを有し、ヘアドライヤー５はその吹き出し口１３を手前側（鏡面３と反対側）に向けた状態で載置部９に載置されている。
【００１５】
図２に基づいて、ヘアドライヤー用ハンガー１の構成を詳細に説明する。支持部７は、鏡面３に着脱自在に吸着固定される吸盤１５と、この吸盤１５に結合される椀状の係合部材１７と、係合部材１７に一体に形成されたＬ字状の支持ベース１９とを有している。
吸盤１５の表面側には十字形の係合片２１が形成されており、係合部材１７の内部には係合片２１に対応した係合片が形成されている。係合片同士が噛み合うように嵌め込んだ状態で係合部材１７を４５°回転させると吸盤１５に係合部材１７が一体に固定されるようになっている。吸盤１５は、鏡面３に強く押え付けることでエアーが抜けて強力に吸着する周知の構造を有している。
【００１６】
載置部９は、棒状部材としての２本の金属製の細い丸棒２３、２３と、支持部７側において丸棒２３間を連結する連結部材２５、２７とを有している。丸棒２３としてはスチールやステンレス製の線材を利用することができる。勿論、ヘアドライヤー５を載せた状態で支持できる剛性を有するものであれば金属製に限定されない。
各丸棒２３の支持部７側端部は、連結部１１に係合するためにループ状に曲げられている。連結部材２５、２７は丸棒２３と同一材料で形成されて溶接固定されており、手前側の連結部材２７は各丸棒２３間の一体強度を確保する機能の他に、後述するように、ヘアドライヤー５の筒状本体部２９（図１参照）の後端部（吹き出し口１３と反対側の端部）を支持する機能を有している。
【００１７】
各丸棒２３の先端部は手前側に向かってその間隔が若干広がるように配置されており、ヘアドライヤー５の手持ち部３１（図１参照）を挿入するときの機種による寸法差に対応できるようになっている。
また、各丸棒２３の先端部２３ａは上方に折り曲げられ、ヘアドライヤー５の筒状本体部２９との接触を緩和するとともに擦れキズの発生を防止する合成樹脂製のキャップ３３が嵌められている。ヘアドライヤー５は、後述するように、その手持ち部３１を矢印Ａ方向（水平方向）に挿入されてそのまま載置される。
【００１８】
連結部１１は、支持部７の支持ベース１９に固定された筒状部材３５と、この筒状部材３５を貫通するボルト３７と、ボルト３７に螺合するナット３９を有している。ボルト３７は載置部９の回動軸として機能する。
各丸棒２３のループ状の端部を筒状部材３５の両側にあてがった状態でボルト３７を挿通し、ナット３９で締め付けることにより、載置部９を任意の回動位置で固定することができる。
【００１９】
図３は、ヘアドライヤー５をヘアドライヤー用ハンガー１に載置した状態を横側から見た図である。載置部９はほぼ水平位置となるように設定されており、上述のように手持ち部３１を各丸棒２３の先端側の間から通して挿入し、下ろすことで簡単に載置することができる。
ヘアドライヤー５を水平に移動して載置することができるので、特許文献１に記載のホルダーのように、ドライヤーコードを通した後手持ち部３１を下方に挿入して載置する面倒さがなく、また、特許文献２に記載のハンガーのように、クリップを開いて筒状本体部２９を挟み込む面倒さもない。
また、棒状部材によって載置部９の枠組みを構成しているので、コンパクト化・コスト低下を実現できる。
【００２０】
ヘアドライヤー５の筒状本体部２９は、２つのキャップ３３と連結部材２７とで３点支持的に支持され、吹き出し口１３側が若干上を向くように載置される。
筒状本体部２９を３点支持的に支持する構成とすることにより、筒状本体部２９の機種の違いによる寸法差に拘わらず安定に載置することができる。
丸棒２３の先端部を上方に曲げて吹き出し口１３側が若干上を向く載置構成とすることにより、鏡面３を見ながらの使用において、ヘアドライヤー５で遮られる範囲が少なくなるのでスタイリング等が容易となる。
【００２１】
ヘアドライヤー５の吹き出し口１３の位置調整をしたい場合には、図４に示すように、連結部１１のナット３９を緩めて載置部９を上方又は下方に所望量回動し、再びナット３９を締め付けて固定する。
ナット３９の締め付け力を、ヘアドライヤー５が載置部９に載置されている状態で載置部９が回動せず且つ強固に固定しない程度にし、ナット３９を操作せずに載置部９を直接回動して位置調整するようにしてもよい。ゴム等の摩擦係数の大きいカラーを両側に設けて、摺動抵抗により載置部９の回動位置を任意に固定するようにし、ナットの操作を不要にしてもよい。
【００２２】
以上、本考案の実施の形態について詳述してきたが、具体的構成は、この実施の形態に限られるものではなく、本考案の要旨を逸脱しない範囲における設計の変更などがあっても考案に含まれる。
例えば、載置部９は、棒状部材に代えて下方に円弧状に湾曲させた平板や金網、パンチングメタル等で形成してもよい。また、上記実施の形態では支持部７を鏡面３に着脱自在に固定する構成としたが、壁面にビス等で固定する構成としてもよい。
【符号の説明】
【００２３】
１    ヘアドライヤー用ハンガー
３    壁面としての鏡面
５    ヘアドライヤー
７    支持部
９    載置部
１１    連結部
１５    吸盤
２３    棒状部材
２９    筒状本体部
３７    締付部材としてのボルト
３９    締付部材としてのナット
【図１】
0003154684.tif 000003
【図２】
0003154684.tif 000004
【図３】
0003154684.tif 000005
【図４】
0003154684.tif 000006